(57)【要約】ＣＤＭＡエア・インタフェース・フォーマットに従う第１の通話メッセージを受信するように構成された第１のインタフェースを含む電気通信システムが開示される。このシステムは更に、第１の通話メッセージが、国際電話通話に関連付けられたインジケータを含むかを判定し、もし含んでいるのであれば、国際プレフィクスを含む第２の通話メッセージを生成するように構成されたメッセージ・トランスレータを含む。更に、特定のコア・ネットワーク・フォーマットを有する第２の通話メッセージを送信するように構成された第２のインタフェースも含まれている。
2009513066.tif 000002
【特許請求の範囲】
【請求項１】
電気通信システムであって、
ＣＤＭＡエア・インタフェース・フォーマットに従う第１の通話メッセージを受信するように構成された第１のインタフェースと、
前記第１の通話メッセージが、国際電話通話に関連付けられたインジケータを含むかを判定し、含んでいるのであれば更に、国際プレフィクスを含む第２の通話メッセージを生成するように構成されたメッセージ・トランスレータと、
コア・ネットワーク・フォーマットに従う前記第２の通話メッセージを送信するように構成された第２のインタフェースと
を備える電気通信システム。
【請求項２】
コア・ネットワークはＧＳＭコア・ネットワークを備える請求項１に記載の電気通信システム。
【請求項３】
コア・ネットワークはＣＤＭＡコア・ネットワークを備える請求項１に記載の電気通信システム。
【請求項４】
前記インジケータは、前記第１の通話メッセージ内に、それぞれ特定の値を有する少なくとも１つのフィールドを備える請求項１に記載の電気通信システム。
【請求項５】
前記国際プレフィクスを格納するように構成されたメモリを更に備え、
前記メッセージ・トランスレータは更に、前記メモリから前記国際プレフィクスを取得し、前記国際プレフィクスを前記第２の通話メッセージ内に挿入するように構成された請求項１に記載の電気通信システム。
【請求項６】
プロセッサおよび関連するメモリを更に備え、
前記メッセージ・トランスレータは更に、前記関連するメモリ内に格納され前記プロセッサによって実行可能なソフトウェア・アプリケーションを備える請求項１に記載の電気通信システム。
【請求項７】
モバイル通信デバイスであって、
電話番号に関連する入力を受け付けるように構成されたユーザ・インタフェースであって、前記電話番号が国際電話番号であることを示すためにユーザによって選択可能な入力要素を備え、前記入力要素を選択することは、前記入力に国際電話番号インジケータを加えることであるユーザ・インタフェースと、
前記入力に基づいて、ＣＤＭＡエア・インタフェースに従うメッセージを生成するように構成されたメッセージ・ジェネレータであって、前記入力が前記国際電話番号インジケータを含むのであれば、前記メッセージ内に国際電話番号識別子を含めるように構成されたメッセージ・ジェネレータと、
ＣＤＭＡエア・インタフェースを介して前記メッセージを送信するように構成されたトランシーバと
を備えるモバイル通信デバイス。
【請求項８】
非ＣＤＭＡエア・インタフェースにしたがって通信するように構成された別のトランシーバを更に備える請求項７に記載のモバイル通信デバイス。
【請求項９】
前記非ＣＤＭＡエア・インタフェースは、ＧＳＭエア・インタフェースを備える請求項８に記載のモバイル通信デバイス。
【請求項１０】
前記メッセージ・ジェネレータは更に、ＧＳＭコア・ネットワークに接続された交換ノードへ前記メッセージを送信するように構成された請求項７に記載のモバイル通信デバイス。
【請求項１１】
前記国際電話番号インジケータは、個々のシンボルから実質的に成る請求項７に記載のモバイル通信デバイス。
【請求項１２】
前記メッセージ・ジェネレータは更に、
前記入力が前記国際電話番号インジケータを含むかを判定するシンボル検出器と、
前記入力が前記国際電話番号インジケータを含むのであれば、前記メッセージの１または複数のフィールドの値を予め定めた値に設定することによって、前記国際電話番号識別子を提供するように構成されたメッセージ・フォーマッタと
を備える請求項７に記載のモバイル通信デバイス。
【請求項１３】
前記メッセージは通話開始メッセージである請求項７に記載のモバイル通信デバイス。
【請求項１４】
国際通話を取り扱う方法であって、
第１のフォーマットの第１の通話開始メッセージを受信することと、
前記第１の通話開始メッセージが、国際電話通話のためのインジケータを含むかを判定することと、
第２のフォーマットの第２の通話開始メッセージを生成することとを備え、
前記第２の通話開始メッセージは、前記第１の通話開始メッセージが、国際電話通話のためのインジケータを含むのであれば、国際プレフィクスを含む方法。
【請求項１５】
前記第１のフォーマットはＣＤＭＡエア・インタフェースを備える請求項１４に記載の方法。
【請求項１６】
前記第１のフォーマットはＣＤＭＡエア・インタフェースと互換性を持ち、前記第２のフォーマットはＧＳＭコア・ネットワークと互換性を持つ請求項１４に記載の方法。
【請求項１７】
前記インジケータは、前記第１の通話開始メッセージ内に、それぞれの値を持つ１または複数のフィールドを備える請求項１４に記載の方法。
【請求項１８】
前記第２の通話開始メッセージを生成することは更に、
メモリ・ストアから前記国際プレフィクスを取得することと、
前記第２の通話開始メッセージ内に、前記国際プレフィクスを挿入することと
を備える請求項１４に記載の方法。
【請求項１９】
国際電話通話を開始する方法であって、
電話番号と関連する入力を、ユーザ・インタフェースを経由して受け取ることと、
前記電話番号が国際通話であるという入力要素を、前記ユーザ・インタフェースを経由して受け取ることと、
前記電話番号が国際通話であるというインジケータを含み、ＣＤＭＡエア・インタフェースに従ってフォーマットされている通話開始メッセージを生成することと、
前記通話開始メッセージを送信することと
を備える方法。
【請求項２０】
前記入力要素は、前記ユーザ・インタフェースによって選択可能な個々のシンボルから実質的に成る請求項１９に記載の方法。
【請求項２１】
前記通話開始メッセージを生成することは更に、前記通話開始メッセージ内の１または複数のフィールドのそれぞれの値を、予め定めたそれぞれの値に設定するステップを備える請求項１９に記載の方法。
【請求項２２】
モバイル通信デバイスであって、
複数の電話番号を格納するように構成されたメモリと、
前記電話番号のそれぞれに関連付けられ、それぞれが関連する電話番号が国際電話番号であるかを示す各設定と、
前記複数の電話番号のうちの１つを選択するように構成されたユーザ・インタフェースと、
前記電話番号のうちの前記選択された１つに基づいて、ＣＤＭＡエア・インタフェースに従うメッセージを生成するように構成されたメッセージ・ジェネレータであって、更に、前記電話番号のうちの前記選択された１つが国際電話番号であることを前記設定が示すのであれば、前記メッセージ内にインジケータを含めるように構成されたメッセージ・ジェネレータと、
前記メッセージをＣＤＭＡエア・インタフェースを介して送信するように構成されたトランシーバと
を備えるモバイル通信デバイス。
【発明の詳細な説明】
【技術分野】
【０００１】
本開示は、一般に、電気通信に関し、特に、国際ダイヤリングを含む電気通信に関する。
【背景技術】
【０００２】
無線サービスの消費者需要は、多数の無線通信ネットワークの発達に結びついた。そのような１つのネットワークは、スペクトラム拡散技術を使用する無線による音声サービスおよびデータサービスをサポートする符号分割多元接続（ＣＤＭＡ）技術に基づく。スペクトラム拡散技術は、利用可能な無線周波数（ＲＦ）スペクトルを効率的に使用することにより、低価格の高品質サービスを可能にする。その結果、ＣＤＭＡ技術は大部分、次世代のデジタル無線通信と考えられる。
【０００３】
ＣＤＭＡ技術の最も広い利用性を提供するために、実施におけるコスト低減の努力が図られるべきである。コストを低減する１つの方法は、グローバル移動体通信システム（ＧＳＭ）のような既存のネットワークへのオーバーレイとしてＣＤＭＡを実施することである。ヨーロッパとアジアでデファクト・スタンダードとなったＧＳＭは、前世代のデジタル無線通信を代表し、無線による音声サービスおよびデータサービスをサポートするために狭帯域ＴＤＭＡを利用する。ＧＳＭまたはその他の既存のシステムへのオーバーレイとしてＣＤＭＡを実施することによって、既存のインフラストラクチャのかなりの部分がＣＤＭＡをサポートするために使用されるので、低減されたコストを実現することができる。オーバーレイ・アーキテクチャ内では、ＧＳＭシステムは、ＣＤＭＡエア・インタフェースを含むものの、コアＧＳＭネットワークを保持するために増大される。動作中、モバイル・ユニットは、コア・ネットワークが従来のＧＳＭネットワークを保持する一方で、（ＧＳＭエア・インタフェースの代わりに）ＣＤＭＡエア・インタフェースを経由して基地トランシーバ局（ＢＴＳ）と通信するだろう。
【０００４】
既存のインフラストラクチャへのオーバーレイとしてＣＤＭＡネットワークを実施することは、様々な長所を持つ。これらは、無線サービスの需要が既存の技術の能力よりも大きくなった領域においてのみＣＤＭＡサービスを限定導入できることのみならず、地理的領域内のＣＤＭＡサービスを漸増的に導入することによって、時間にわたったスタート・アップ・コストを分散できることを含む。更なる利点は、ＧＳＭコア・ネットワークを交換するコストおよび複雑さを回避しながら、ＣＤＭＡエア・インタフェースの性能長所を提供することを含む。
【０００５】
ローミングは、ユーザのホーム・ネットワークの外側で呼出をしたり、受話する能力である。国際ローミングは、より具体的には、ユーザ自身のハンドセットと外国の無線ネットワークとを用いて、外国から呼出をしたり、受話する能力である。一般的に、国際ローミングは、国際アクセス・コードをダイヤルすることをユーザに求めるか、あるいはユーザが位置している国の外部の電話番号に達することを「国際プレフィクス」に要求する。
【０００６】
国際アクセス・コードは、各国に特有であり、ある場合には、そのネットワークが呼出をサポートするキャリアに特有である。例えば、アメリカ合衆国のユーザは、国際ローミング機能を使って国際通話をするために、自分のハンドセット上で「０１１」をダイヤルしなければならない。フランスのユーザは、フランスから国際電話をするために、利用選択したキャリアに応じて「００」、「４０」あるいは「７０」、または別の国際プレフィクスをダイヤルするだろう。従って、頻繁に移動するユーザは、自分のハンドセットを用いて異なる国々で電話をするために、様々な異なる国際アクセス・コードまたはプレフィクスを知っていなければならない。多くの国々が異なる国際アクセス・コードを持ち、また、１つの国内でも国際アクセス・コードはキャリアによって変わる場合があるので、コードを正確に知ることは、移動者に相応の重荷となる可能性がある。
【０００７】
ヨーロッパ諸国の多くは、無線ネットワークのためにグローバル移動体通信システム（ＧＳＭ）規格を利用している。ＧＳＭは、ユーザが、国際的なプレフィクスをダイヤルする代わりに、ハンドセット上の（＋）キーをダイヤルすればよい国際ダイヤル機能をサポートする。（＋）キーをダイヤルすることによって、その通話を、国際通話とし、この通話を国際交換へ送るようにローカル交換システムに命じる。あいにく、そのハンドセットが、ＧＳＭにサポートされた（＋）キーを含んでいるユーザは、ＧＳＭネットワークによってカバーされていない領域ではそれを利用することができない。例えば、符号分割多元接続（ＣＤＭＡ）エア・インタフェースは、そのような（＋）キー機能の認識もサポートもしていないので、そのキーを含む通話を国際交換へ送ることができない。代わりに、国際通話を送るために、ＣＤＭＡシステムは、適切な国際プレフィクスが通話に同伴することを求める。
【０００８】
過去にわたる無線通信の莫大な増加によって、国際ローミングの場合におけるより単純なアクセス手順に対する需要があった。しかしながら、ネットワークが通話をサポートしているかに関わらず、ユーザが、適切な国際プレフィクスを知らず、それを入力することもなく国際ローミングを利用できるような自動化された国際ダイヤリング機能は、今のところ存在していない。
【特許文献１】米国特許出願２００３０２２７８８３号
【発明の開示】
【発明の概要】
【０００９】
従って、本明細書で記述された１つの局面は、ＣＤＭＡエア・インタフェース・フォーマットに従う第１の通話メッセージを受信するように構成された第１のインタフェースを含む電気通信システムに関する。このシステムはまた、第１の通話メッセージが、国際電話呼出に関連付けられたインジケータを含むかを判定するように構成され、もしも含んでいるのであれば、更に、国際プレフィクスを含む第２の通話メッセージを生成するように構成された、メッセージ・トランスレータを含む。更に、コア・ネットワーク・フォーマットを有する第２の通話メッセージを送信するように構成された第２のインタフェースが含まれている。
【００１０】
別の局面は、ユーザ・インタフェースを含むモバイル通信デバイスに関する。このユーザ・インタフェースは、国際電話番号を示す特定の入力要素を含む。また、このユーザ・インタフェースは、電話番号に関連する入力を受け付けるように構成される。このデバイスは、更に、入力に基づいて、ＣＤＭＡエア・インタフェースに従うメッセージを生成するように構成されたメッセージ・ジェネレータを含む。このメッセージ・ジェネレータは更に、入力が特定の入力要素を含んでいるのであれば、メッセージ内にインジケータを含むように構成されている。更に、デバイスには、ＣＤＭＡエア・インタフェースによってメッセージを送信するように構成されたトランシーバが含まれている。
【００１１】
また、別の局面は、国際通話を取り扱う方法に関する。この方法に従って、第１の通話開始メッセージが第１のフォーマットで受信される。次に、この通話開始メッセージが、国際電話呼出のインジケータを含むかが判定される。判定がなされると、第２の通話開始メッセージが第２のフォーマットで生成される。ここで、第２の通話開始メッセージは、国際プレフィクスを含む。
【００１２】
更なる局面は、複数の電話番号と、これら電話番号の各々に関連付けられたそれぞれのセッティングとを格納するように構成されたメモリを含むモバイル通信デバイスに関する。このセッティングは、関連する電話番号が国際電話番号であるかを示す。このデバイスは更に、複数の電話番号のうちの１つを選択するように構成されたユーザ・インタフェースと、選択された１つの電話番号に基づいて、ＣＤＭＡエア・インタフェースに従いメッセージを生成するように構成されたメッセージ・ジェネレータとを含む。このメッセージ・ジェネレータは更に、選択された１つの電話番号が国際電話番号であることをセッティングが示すのであれば、メッセージ内にインジケータを含むように構成されている。更に、ＣＤＭＡエア・インタフェースによってメッセージを送信するように構成されたトランシーバが、このデバイスに含まれている。
【００１３】
もう１つの局面は、国際通話を開始する方法に関する。この方法に従って、電話番号が国際通話であるという入力要素に加えて、電話番号に関連する入力が、ユーザ・インタフェースを介して受信される。また、この電話番号は国際通話であるとのインジケータを含む通話開始メッセージが生成される。この通話開始メッセージは、ＣＤＭＡエア・インタフェースに従ってフォーマットされ、その後送信される。
【００１４】
本発明のその他の実施形態が、例示によって本発明の様々な実施形態のみが示され説明されている以下の詳細記述から、当業者に容易に明らかになるであろうことが理解される。理解されるように、本発明は、その他および異なる実施形態が可能であり、その幾つかの詳細は、本発明の精神およびスコープから全く逸脱することなく、その他様々な観点での変形が可能である。従って、図面および詳細説明は、限定的ではなく、本質的に例としてみなされることになる。
【詳細な説明】
【００１５】
無線通信システムの様々な局面が、添付図面において、限定によってではなく、一例として例示される。
【００１６】
添付図面に関して以下に述べる詳細説明は、本発明の様々な実施形態の説明として意図されており、本発明が実現されうる唯一の実施形態を表すことは意図されていない。詳細説明は、本発明の完全な理解を提供する目的で、具体的な詳細を含んでいる。しかしながら、本発明は、これら具体的な詳細なしで実現されうることが当業者に明らかになるであろう。幾つかの事例では、本発明の概念を不明瞭にしないために、周知の構成および構成要素がブロック図形式で示される。
【００１７】
図１は、セルラ通信をサポートすることが可能なモバイル・デバイスの例を図示する機能ブロック図である。モバイル・デバイス１０２は、第１のエア・インタフェース・トランシーバ２０２および第２のエア・インタフェース・トランシーバ２０４を含むことができる。例えば、これらトランシーバはそれぞれ、ＣＤＭＡインタフェースおよびＧＳＭインタフェースと互換性を持つことができる。従って、モバイル・デバイス１０２のうちの少なくとも１つの実施形態では、セルラ・トランシーバ２０２は、ＢＴＳ（図示せず）とのＣＤＭＡ２０００  １ｘ通信をサポートすることができ、他のトランシーバ２０４は、ＧＳＭ  ＢＴＳ（図示せず）との通信をサポートすることができる。しかしながら、当業者は、モバイル・デバイス１０２に関して記述された概念は、単独であるいは互いと結合して、他のセルラ技術へ拡張できることを容易に認識するだろう。セルラ・モバイル・デバイス１０２では、トランシーバ２０２、２０４は、図示するように、個別のアンテナ２０６、２０７をそれぞれ持つことができるが、トランシーバ２０２、２０４は、単一の広帯域アンテナを共有することもできよう。アンテナ２０６、２０７はそれぞれ、１または複数の放射素子で実現することができる。
【００１８】
モバイル・デバイス１０２はまた、トランシーバ２０２、２０４の両方に接続されたプロセッサ２０８を用いて示されているが、モバイル・デバイス１０２の代替実施形態では、各トランシーバ用に個別のプロセッサを使用することができる。プロセッサ２０８は、ハードウェア、ファームウェア、ソフトウェア、あるいはこれらの任意の組合せとして実施することができる。一例として、プロセッサ２０８は、マイクロプロセッサかマイクロコントローラ（図示せず）を含み、揮発性、不揮発性、またはそれらの組合せであるメモリ２１１へのアクセスを持つであろう。マイクロプロセッサは、（１）セルラＷＡＮへのアクセスの制御および管理、（２）プロセッサ２０８のキーパッド２１０、ディスプレイ２１２、およびその他のユーザ・インタフェース（図示せず）へのインタフェースを行うソフトウェア・アプリケーションをサポートするために使用することができる。プロセッサ２０８は更に、例えば、畳み込み符合化、巡回冗長検査（ＣＲＣ）機能、変調、およびスペクトラム拡散処理のような様々な信号処理機能をサポートする組込式ソフトウェア・レイヤを備えたデジタル・シグナル・プロセッサ（ＤＳＰ）（図示せず）を含むことができる。ＤＳＰは、更に、テレフォニ・アプリケーションをサポートするボコーダ機能を実施することができる。プロセッサ２０８は、スタンド・アロンのエンティティでも、モバイル・デバイス１０２内の多くのエンティティにわたって分散されることもできる。プロセッサ２０８が実装される方式は、システム全体に課せられた設計制約および特定のアプリケーションに依存するだろう。当業者であれば、これらの状況におけるハードウェア構成、ファームウェア構成、およびソフトウェア構成の置換性と、各特定のアプリケーションについて、説明された機能をどのようにして最良に実現するのかを認識するだろう。メモリ２１１は、例えば、ＧＳＭモバイル通信デバイス内で一般的な加入者アイデンティティ・モジュール（ＳＩＭ）のようなリムーバブル・コンポーネントを含むことができる。
【００１９】
図２の通信ネットワーク・アーキテクチャは、コア・ネットワークおよびラジオ・アクセス・ネットワークを含んでいる。ラジオ・アクセス・ネットワークと置換可能に使用される別の用語は「エア・インタフェース」である。そのようなアーキテクチャの１つの例は、ＧＳＭコア・ネットワークおよびＣＤＭＡエア・インタフェースを含んでいる。そのようなアーキテクチャは、譲渡され、その全体が参照によって本願に組み込まれている、公開された米国特許出願２００３０２２７８８３号により詳細に記載されている。
【００２０】
図２に示すように、コア・ネットワーク２６２は、一般に、モバイル交換ノード（ＭＳＮ）２５８の「上部」側にそれらの要素を含んでいる。エア・インタフェースは一般に、ＭＳＮ２５８の「下側」の要素を称する。ＭＳＮ２５８は、第１のセルラ通信システムにおけるフォーマットおよび構成のメッセージを、第２のセルラ通信システムにおけるフォーマットおよび構成にマップすることによって、コア・ネットワーク２６２およびラジオ・アクセス・ネットワーク（又はエア・インタフェース）の両方と通信することができる。例えば、コア・ネットワークがＧＳＭシステムで、エア・インタフェースがＣＤＭＡシステムである場合、ＭＳＮ２５８は、メッセージを、ＧＳＭシステムで周知のフォーマットおよび構成から、ＣＤＭＡシステムで周知のそれへのマップ、あるいはその逆のマップを行う。従って、ＭＳＮは、概念的に２つのインタフェース２９０，２９２を含んでいる。インタフェース２９０上では、エア・インタフェースに従ったフォーマットで通信するように構成され、他方のインタフェース２９２は、コア・ネットワークに従って通信するように構成されている。
【００２１】
一般に、上述され、組み込まれた公開された特許出願により詳細に記載されているように、ＭＳＮ２５８は、汎用のプログラム可能なコンピュータ、あるいはより特化されたコンピュータ・プラットフォームでありうる。ＭＳＮ２５８の特定のハードウェア実装にかかわらず、多くのソフトウェア・アプリケーションあるいは構成要素が、１または複数のプロセッサに格納され、そこで実行されることによって、本明細書に記載の機能が実現される。従って、ＭＳＮ２５８は、ハードウェア要素を含むのみならず、実行可能なソフトウェア・アプリケーション、およびそれらソフトウェアを格納するためのコンピュータ読取可能媒体を含む。
【００２２】
移動局２５０、２５２は、例えば、モバイル電話、携帯情報端末、コンピュータ、あるいは、音声またはデータ情報の無線通信が可能なその他の無線デバイスのような無線通信デバイスである。図１を参照して説明したようなデバイスは、例えばＳＩＭカードのようなメモリを含むことができる。ＳＩＭカードは、ＣＤＭＡユーザ端末で動作可能な標準的なＧＳＭ  ＳＩＭカードであり、ＣＤＭＡセルラ・システムとＧＳＭセルラ・システムとの両方の基地局からの信号を受信したり、反応することができる。ＣＤＭＡハンドセットに統合されたそのようなＧＳＭ  ＳＩＭカードは、ともに、２００２年２月１４日に出願された米国特許出願１０，０７６，８３１号に切り替えられ、本願と同じ譲受人に譲渡され、本明細書によって参照によってその全体が組み込まれている２００２年１月１７に出願された米国仮特許出願６０／３５４，０８６号、および、２００２年２月１日に出願された米国仮特許出願６０／３５０，８２９号で述べられている。ＳＩＭカードはまた、１を越える無線通信システムで動作するように構成された専用ＳＩＭカードでありうる。
【００２３】
１つの特定の構成では、モバイル通信デバイス２５０は、図１に関して記述されたデバイス１０２のようなマルチモード・デバイスでありうる。他方のモバイル通信デバイス２５２は、唯一のトランシーバを含んでおり、単一のエア・インタフェースを介して通信することができるという点で異なりうる。当該技術で周知のように、デバイス２５０、２５２は、基地局コントローラ（ＢＳＣ）２５６に接続された１または複数の基地トランシーバ局（ＢＴＳ）２５４と通信する。デバイス２５０，２５２、ＢＴＳ２５４、およびＢＳＣ２５６に関連付けられた通信、メッセージ・プロトコル、およびフォーマットは、通信が生じるエア・インタフェースを記述する。
【００２４】
ＢＳＣ２５６からのメッセージは、既に説明されたように、ＭＳＮ２５８に導かれ、これらのメッセージが、コア・ネットワーク２６２の機能および能力にアクセスするために使用されるものに変換される。例えば、ＧＳＭコア・ネットワークにおいて周知であるように、ある機能および能力は、通話およびデータ送信が、公衆交換電話網（ＰＳＴＮ）２６０を用いてなされることを可能にするために使用される。これらの機能は、ユーザ認証２６４、ホーム・ロケーション・レジスタ２６６、サービス制御ポイント２６８、メッセージ・サービス２７０、およびユーザ課金処理２７２を含んでいる。コア・ネットワーク２６２は、ＭＳＮ２５８からメッセージおよびその他のデータを受信するのみならず、ＢＳＣ２５６、ＢＴＳ２５４、およびデバイス２５０、２５２のためのメッセージおよびその他のデータを生成することができる。ＭＳＮ２５８は、これらメッセージが、動作中のエア・インタフェースにしたがって適切にフォーマットされるように、これらメッセージのトランスレータとして動作する。
【００２５】
図２のネットワーク・アーキテクチャでは、ユーザは、国際通話であり、最終的にはコア・ネットワーク２６２を経由してＰＳＴＮ２６０へ導かれる通話を、モバイル通信デバイス２５０から行うことができる。そのような通話を行う際に、モバイル通信デバイス２５０（又は２５２）は、エア・インタフェースに従ってフォーマットされた開始メッセージを生成するだろう。この開始メッセージは、ＢＴＳ２５４およびＢＳＣ２５６によって受信され、ＭＳＮ２５８に導かれる。そして、ＭＳＮ２５８は、（エア・インタフェースに従ってフォーマットされた）開始メッセージを解釈するか、または、それを、コア・ネットワーク２６２に従ってフォーマットされた開始メッセージへと変換する。この開始メッセージに基づいて、コア・ネットワーク２６２は、要求された呼出を完成するために、必要なＰＳＴＮ２６０との接続を始める。図３は、ＭＳＮ２５８によってそのような国際通話を取り扱う典型的な方法のフローチャートを示す。
【００２６】
図３の方法に従って、ＭＳＮ２５８は、ステップ３０２において、第１のエア・インタフェースに従って動作するモバイル通信デバイスによって送信された通話開始メッセージを受信する。このメッセージは、例えばＢＴＳまたはＢＳＣのように、エア・インタフェースに従って動作する１または複数の中間要素を介して移動する。
【００２７】
この開始メッセージがＭＳＮによって受信されると、ＭＳＮ２５８は、ステップ３０４において、この通話が国際通話であることを示すメッセージを同伴するインジケータが設定されたかを識別する。このインジケータは、特定の値またはセッティングに設定されたメッセージのフラグまたはその他の部分でありうる。更に、このインジケータは、メッセージに対するプレカーサであるか、メッセージに対するアペンディックスであるか、またはメッセージ自体に組み込まれうる。例えば、ＣＤＭＡエア・インタフェースに従うと、開始メッセージには２つの属性またはフィールドが存在する。それらは、メッセージが国際通話であることを識別するために設定することができる。
【００２８】
ＤＩＧＩＴ＿ＭＯＤＥ＝１Ｂ；
ＮＵＭＢＥＲ＿ＴＹＰＥ＝００１Ｂ。
【００２９】
当業者であれば、メッセージが国際通話に関連付けられていることをＭＳＮが発見できるように、メッセージをマークするための多くの機能的に等価な方法および技術が存在することと、その代替案も本発明の範囲内で考慮されることを認識するだろう。しかしながら、例えば上述したようなフィールドを用いて、ＣＤＭＡエア・インタフェースを記述する既存の規格を満足する技術を利用することによって、これらの規格と既に適合しているデバイスおよびシステムを使用することが可能になるだろう。
【００３０】
ステップ３０６では、開始メッセージが国際通話向けであると判定された場合、ＭＳＮは、格納場所から適切な国際プレフィクスを取得する。ＭＳＮは固定システムであるので、国際プレフィクスは変わらず、必要な場合には、使用のために予め格納することができる。ステップ３０８において、ＭＳＮは、解釈済通話開始メッセージを生成する。これは、コア・ネットワークに従ってフォーマットされる。特に、コア・ネットワークへ渡された通話開始メッセージは、国際通話のための正しい国際プレフィクスを含んでいる。コア・ネットワークは、ＭＳＮからのメッセージを、任意の標準的な通話開始メッセージとして取り扱い、その後、当該技術分野で周知であるように、それに従って、この通話を完成させるために動作するだろう。
【００３１】
図４は、本発明の原理に従う、例えば１０２、２５０、２５２のようなモバイル通信デバイスのための典型的なユーザ・インタフェースを示す。図３に記載の方法では、国際通話である幾つかのインジケータを含む通話開始メッセージがＭＳＮによって受信される。図４のユーザ・インタフェースは、ユーザが、モバイル通信デバイス１０２対して、この通話が国際通話であることが意図されていることを通知するための１つの典型的な技術を与える。これによって、デバイス１０２は、ＭＳＮによって期待されるように、通話開始メッセージを適切にフォーマットすることができる。
【００３２】
デバイス１０２のインタフェースは、選択メニュー、または、着信または発信する通話に関する情報を一般に表示するディスプレイ２１２を含む。ディスプレイ２１２上の情報を通じてナビゲートするために、１または複数のキー４０２が提供される。モバイル通信デバイス１０２で典型的であるように、電話番号で使用される１０個の数字に関連付けられた１または複数のキー４０４を有するキーパッドが提供されている。これらキーは、通常、キーに関連付けられた代替の英数字データを指すキー４０４用エイリアス表示領域４０８を含んでいる。
【００３３】
現在、多くの異なる方式が使用されており、キー４０４を選択することによって生成されるデータは、関連する数値であるか、または、関連するエイリアスの１つであるかの何れかとなる。幾つかのキーは、標準的なキーパッド上に関連付けられた英数字文字を持っていない。例えば、多くのＣＤＭＡ電話においては、「１」キー４０４は、ブランクである領域４０６を含んでいる。従って、このキー４０４は、入力された電話番号が国際通話であることを示すための入力要素を示すエイリアスを簡単に割り当てることができる。図４の例では、シンボル「＋」が使用される。当業者であれば、本発明のスコープから逸脱することなく、他のシンボルも同様に使用されうることを容易に認識するだろう。
【００３４】
そのようなインタフェースによって、ユーザは、国際プレフィクスに関する心配をすることなく電話番号を入力する。番号の入力前または入力後の何れかにおいて、ユーザは、「＋」シンボル（またはその他幾つかの適切なシンボル）を選択するであろう。このように、インタフェースを経由してユーザによってなされた入力は、入力された電話番号が国際電話通話を指すことを、モバイル通信デバイスに知らせる。ユーザが通話開始を選択した場合、当該技術で知られているように、モバイル通信デバイスは、通話開始メッセージを作成するために電話番号を解析する。しかしながら、本明細書で記述された原理に従うと、この解析処理の一部は、通話開始メッセージが、国際電話通話を示すように変更されるように、「＋」（またはその他の記号）が存在するかを判定することを含んでいる。
【００３５】
図５のフローチャートは、そのようなイベントのシーケンスのための典型的な方法を示す。ステップ５０２では、ユーザが、マニュアルによって電話番号のダイヤルを開始する。しかしながら、この電話番号の入力の一部として、ユーザは、ステップ５０４において、この電話通話が国際通話であることを示すインタフェース・シンボルを選択する。ステップ５０６において、通話を開始するための全ての通話情報が受け取られると、ステップ５０８において、モバイル通信デバイスは、通話開始メッセージを生成する。特に、通話開始メッセージは、特定のエア・インタフェース規格に従ってフォーマットされており、この電話通話が国際通話であるとのインジケータを含んでいる。もちろん、ステップ５０４において、ユーザが、国際通話のためのインタフェース・シンボルを選択しないのであれば、通話開始メッセージは、この通話が国際通話であるとのインジケータを含まない。
【００３６】
多くの通信デバイスでは、多くコンタクトする電話番号は、容易にアクセスするために、しばしばメモリに格納されている。例えば、ＧＳＭ  ＳＩＭは、多くのラベル（例えば、名前、コンタクトのタイプ、デバイスのタイプ等）で、数百もの電話番号を格納することができる。格納されたメモリから、ユーザが単に電話番号、すなわちコンタクトを選択する事例では、ユーザは、その電話番号が国際電話通話に関連していることを示す機会を持つことはできない。従って、典型的な方法が、図６のフローチャートに関して示されている。それは、図５の方法に類似した機能を提供するが、電話番号がメモリから取得される事例に限られる。
【００３７】
ステップ６０２では、ユーザは、メモリに格納された電話番号を取得するために、モバイル通信デバイスのユーザ・インタフェースを利用する。そして、ステップ６０４において、モバイル通信デバイスは、取得された格納された電話番号が、国際電話番号に関連付けられているのかを判定する。一般に、取得された電話番号は、インタフェース・スクリーン上に表示され、ユーザは、通話を開始するために「送信」または「入力」を選択する。この電話番号が国際電話番号であると判定されると、ステップ６０８において、モバイル通信デバイスによって生成された通話開始メッセージが送られる。このメッセージは、この電話通話が国際通話であるという指示を含んでいる。これら２つの方法のステップ５０８および６０８は、本質的に類似している。
【００３８】
１つの典型的な方法では、取得された格納されていた電話番号が国際電話番号であるとモバイル通信デバイスが判定した場合、取得された電話番号が国際電話番号であることを示すために、「＋」（またはその他のシンボル）がユーザ・インタフェース上に表示される。従って、ユーザがマニュアルでシンボルを入力したか、または、取得プロセスが自動的にそれを挿入したかに関わらず、何れの場合であれ、適切な通話開始メッセージを生成するために、結果として得られる電話番号は、そのシンボルを含み、モバイル通信デバイスは、同じルーチンを用いることができよう。
【００３９】
例えば、一般的なＧＳＭ  ＳＩＭ規格に従って、電話番号は、ＴＯＮ＝００１Ｂに設定されたＴＯＮフラグを用いて格納することができる。従って、電話番号がＳＩＭから検索される場合、そのフラグは、取得された電話番号に「＋」（またはその他のシンボル）が追加されるべきかを判定するためのテストがなされよう。あるいは、格納するためにユーザによって生成された場合、ユーザがマニュアルで追加することによって、「＋」（またはその他のシンボル）を明示的に含めることができる。何れの場合であれ、一旦取得され、表示された電話番号は、適切な追加シンボルを含むだろう。通常は国際電話番号である電話番号が、ユーザが一時的にその現場を訪れている場合、誤って国際電話番号であると認識される事例について心配する必要はない。ほとんどのコア・ネットワークは、接続をする場合に、実際に国際プレフィクスを使用せずに、その現場地域の国際プレフィクスを有する通話開始メッセージが接続されることを認識する十分なロジックを含んでいる。
【００４０】
コア・ネットワークと異なるエア・インタフェースを有するネットワーク・アーキテクチャと称される特定の典型的なアーキテクチャが説明された一方、本明細書で記述された特定の方法および技術は、図３に関して既に説明したＭＳＮの機能のうちの幾つかを実行する修正モバイル交換局（ＭＳＣ）を含む標準的なＣＤＭＡネットワーク内で動作するであろう。特に、ＭＳＮではなくＭＳＣが、通話開始メッセージを受信し、それが、国際電話通話であるとのインジケータを含んでいるかを判定するだろう。ＭＳＣはまた、適切な国際プレフィクスが挿入された新たな通話開始メッセージを生成するだろう。しかしながら、新たに生成された通話開始メッセージは、ＧＳＭフォーマットではなく、ＣＤＭＡフォーマットのままであろう。従って、ＣＤＭＡエア・インタフェースおよびＣＤＭＡコア・ネットワークの両方を使用することによって、ユーザが正しい国際プレフィクスを使用していることに気付くことなく、国際電話通話がなされる。
【００４１】
上記の例で記述された特定の挙動およびステップに対する多くのバリエーションが、本発明のスコープから逸脱することなくなされうる。本明細書で開示された実施形態に関連して記述された様々な例示的な論理ブロック、モジュール、回路、要素、および／またはコンポーネントは、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、例えばＤＳＰとマイクロプロセッサとの組み合わせ、複数のマイクロプロセッサ、ＤＳＰコアに接続された１または複数のマイクロプロセッサ、またはその他任意のこのような構成である計算デバイスの組み合わせとして実現することも可能である。
【００４２】
本明細書で開示された実施形態に関連して記述された方法やアルゴリズムは、ハードウェアによって直接的に、プロセッサによって実行されるソフトウェア・モジュールによって、または、これらの組み合わせによって具体化される。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されることができる。
【００４３】
上述の記載は、当業者をして、本明細書に記載された様々な実施形態を実現することができるように提供される。これらの実施形態への様々な変形例もまた、当業者には明らかであって、本明細書で定義された一般的な原理は、他の実施形態にも適用されうる。従って、特許請求の範囲、本明細書で示された実施形態に限定されるものではなく、単数の要素に対する参照は、明示的に述べられていないのであれば「１および１のみ」を意味するのではなく、「１または複数」を意味することが意図されている特許請求の範囲の文言と整合した全ての範囲に相当することが意図されている。当業者に知られているか、後に知られるようになる本開示を通じて記載されている様々な実施形態の要素に対する全ての構造的および機能的な均等物が、参照によって本明細書に明確に組み込まれており、特許請求の範囲に含まれていることが意図される。更に、そのような開示が特許請求の範囲において明示的に記述されているかに関わらず、本明細書で示された何れも、公衆に放棄されることは意図されていない。要素が、「〜する手段」（means for）という文言を用いて、方法請求項の場合には「〜するステップ」（step for）という文言を用いて明示的に示されていないのであれば、いかなる請求項の要素も、３５Ｕ．Ｓ．Ｃ１１２条第６パラグラフの条項の下で解釈されるべきではない。
【図面の簡単な説明】
【００４４】
【図１】図１は、ＣＤＭＡエア・インタフェースによって通信可能なモバイル通信デバイスのブロック図を図示する。
【図２】図２は、そのエア・インタフェースとは異なるコア・ネットワークを含む典型的な電気通信ネットワーク・アーキテクチャを図示する。
【図３】図３は、ＣＤＭＡエア・インタフェースによってモバイル通信デバイスから受信した国際通話を接続する典型的な方法のフローチャートを示す。
【図４】図４は、本発明の原理に従ってモバイル・デバイスにスロット・インデクスを割り当てる機能を図示するフロー図である。
【図５】図５は、ＣＤＭＡベースのモバイル通信デバイスから国際通話メッセージを開始する典型的方法のフローチャートを示す。
【図６】図６は、ＣＤＭＡベースのモバイル通信デバイスにおいて、格納された電話番号から国際通話メッセージを開始する典型的方法のフローチャートを示す。
【図１】
2009513066.tif 000003
【図２】
2009513066.tif 000004
【図３】
2009513066.tif 000005
【図４】
2009513066.tif 000006
【図５】
2009513066.tif 000007
【図６】
2009513066.tif 000008
【国際調査報告】
2009513066.tif 000009
2009513066.tif 000010